(57)【要約】【課題】汎用的なＵＳＢ(Universal Serial Bus)インターフェイスに差し込むだけで、自動的にウエブページへアクセスして認証を行い、所定のウエブページをパソコン端末に表示することが可能なＵＳＢアクセスキーを提供する。【解決手段】所定数のコンピュータがインターネット等の通信回線に接続される通信システムにおける当該コンピュータのＵＳＢインターフェイスに接続されるもので、演算処理手段であるＣＰＵ２がバス６に接続され、当該バス６にＵＳＢインターフェイスであるＵＳＢＩ／Ｆ１、処理データ格納手段であるＲＯＭ３、個別データ格納手段であるＥＥＰＲＯＭ４、処理のための作業領域としてのＲＡＭ５が少なくとも接続されて構成され、ＮＴＰサーバへアクセスして時間情報を取得し、使用限度日時と比較して前記使用限度日時を超過したか否かを判断する。【選択図】図１
2008016044.tif 000002
【特許請求の範囲】
【請求項１】
周辺装置用ＵＳＢインターフェイスを有するコンピュータに前記周辺装置用ＵＳＢインターフェイスを介して接続されるＵＳＢアクセスキーであって、
前記コンピュータの周辺装置用ＵＳＢインターフェイスと嵌合するＵＳＢコネクタと、
通信回線を介して前記コンピュータを他のコンピュータに接続する際に本人確認するための識別データと他のコンピュータのアドレス、前記他のコンピュータからの認証要求に必要なキーデータ、及び当該ＵＳＢアクセスキーに関する使用限度日時を記憶する個別データ格納手段と、
通信回線に接続するためのＷＷＷブラウザを前記コンピュータに立ち上げて前記コンピュータから前記他のコンピュータへ通信回線を介して前記識別データ、アドレス、所定データを送信するための送信処理と、前記通信回線を介してアクセスされた前記他のコンピュータとの認証のための演算を前記キーデータに基づいて行う演算処理と、通信回線上に設置されたＮＴＰサーバへ前記コンピュータを介してアクセスして時間情報を取得する時間取得処理と、を行うために必要な処理データを格納するための処理データ格納手段と、
前記処理データ格納手段に格納されている処理データに基づいて前記送信処理と、前記演算処理と、時間取得処理とを行うための演算処理手段と、を備え、
前記コンピュータに当該ＵＳＢアクセスキーを接続すると、前記演算処理手段は、前記処理データをＵＳＢアクセスキーに起動して、前記コンピュータを介して通信回線上に設置されたＮＴＰサーバへアクセスして時間情報を取得し、ＮＴＰサーバから取得した時間情報を前記使用限度日時と比較して前記使用限度日時を超過したか否かを判断し、前記時間情報が前記使用限度日時を超過していなければ、前記コンピュータにインストールされている前記ＷＷＷブラウザを立ち上げると共に、前記識別データとアドレスとを用いて前記コンピュータを前記他のコンピュータへ通信回線を介してアクセスさせ、前記ＷＷＷブラウザに前記他のコンピュータが提供するウエブページを表示させ、前記他のコンピュータとの認証が必要な場合には、前記キーデータに基づいて認証のための演算を行い、その演算値を前記コンピュータへ送信することを特徴とするＵＳＢアクセスキー。
【請求項２】
前記ＮＴＰサーバから取得される時間情報が前記使用限度日時と比較して超過している場合は、その旨を前記コンピュータの画面に表示してそれ以降の動作を中止することを特徴とする請求項１に記載のＵＳＢアクセスキー。
【発明の詳細な説明】
【技術分野】
【０００１】
本発明は、ＵＳＢアクセスキーに関し、さらに詳しくは、自動的にブラウザを立ち上げて特定のＵＲＬを表示するＵＳＢアクセスキーに関するものである。
【背景技術】
【０００２】
近年、広告媒体としてインターネットの利用が盛んになってきており、例えば、自らの業務内容や商品紹介を掲載したウエブページを作成し、インターネット上に設置されたウエブサーバを用いてこれを公開することが行われている。このようなシステムでは、所謂、バナー広告を第三者のウエブページに貼り付け、クリックした閲覧者を自らのウエブページに招くという手法が一般的である。しかし、ウエブページを閲覧するのは顧客の自由意思であり、自身のウエブページを必ずしもすぐ閲覧してくれるとは限らない。むしろ、不特定多数の中から顧客が選択する確率はかなり低いといわざるを得ない。そのため、日々更新して新しい商品やサービスを提供しても、広告として実効性に乏しいという問題があった。つまり、顧客に自身のウエブページを如何にして閲覧させるかが課題となっている。
この課題を解決するために、従来例として特開２００１−１５５０７５公報には、ウエブページのアドレスや、認証に必要な暗号鍵をＩＣカードに記憶しておき、パソコン端末にこのＩＣカードを接続するだけで自動的にウエブページをアクセスして認証を行い、所定のウエブページをパソコン端末に表示させる技術について開示されている。つまり、このシステムを利用すれば、自らの広告ページを立ち上げておき、購買層に予めＩＣカードを配布しておけば、ユーザはいちいちブラウザを立ち上げてＵＲＬをキー入力することなくＩＣカードを接続するだけで自動的に最新の広告を閲覧することができる。更に、ＩＣカードに決済のためのプリペイド情報（ポイント）を記憶させておき、商品を購入する際にポイントを減算できるようにすれば、このシステムをネットショッピング等にそのまま利用することも可能である。
【特許文献１】特開２００１−１５５０７５公報
【発明の開示】
【発明が解決しようとする課題】
【０００３】
しかしながら、特開２００１−１５５０７５公報によるシステムでは、図９のように、ＩＣカード１１０を用いるために専用のカードリーダ１２０が必要となり汎用性に乏しいシステムである。また、ＩＣカード１１０のＥＥＰＲＯＭ１０２内に保持されているプリペイド情報を外側から確認することができないといった不便さがある。本発明は、かかる課題に鑑み、汎用的なＵＳＢ(Universal Serial Bus)インターフェイスに差し込むだけで、自動的にウエブページへアクセスして認証を行い、所定のウエブページをパソコン端末に表示することが可能なＵＳＢアクセスキーを提供することを目的とする。
【課題を解決するための手段】
【０００４】
本発明はかかる課題を解決するために、周辺装置用ＵＳＢインターフェイスを有するコンピュータに前記周辺装置用ＵＳＢインターフェイスを介して接続されるＵＳＢアクセスキーであって、前記コンピュータの周辺装置用ＵＳＢインターフェイスと嵌合するＵＳＢコネクタと、通信回線を介して前記コンピュータを他のコンピュータに接続する際に本人確認するための識別データと他のコンピュータのアドレス、前記他のコンピュータからの認証要求に必要なキーデータ、及び当該ＵＳＢアクセスキーに関する使用限度日時を記憶する個別データ格納手段と、通信回線に接続するためのＷＷＷブラウザを前記コンピュータに立ち上げて前記コンピュータから前記他のコンピュータへ通信回線を介して前記識別データ、アドレス、所定データを送信するための送信処理と、前記通信回線を介してアクセスされた前記他のコンピュータとの認証のための演算を前記キーデータに基づいて行う演算処理と、通信回線上に設置されたＮＴＰサーバへ前記コンピュータを介してアクセスして時間情報を取得する時間取得処理と、を行うために必要な処理データを格納するための処理データ格納手段と、前記処理データ格納手段に格納されている処理データに基づいて前記送信処理と、前記演算処理と、時間取得処理とを行うための演算処理手段と、を備え、前記コンピュータに当該ＵＳＢアクセスキーを接続すると、前記演算処理手段は、前記処理データをＵＳＢアクセスキーに起動して、前記コンピュータを介して通信回線上に設置されたＮＴＰサーバへアクセスして時間情報を取得し、ＮＴＰサーバから取得した時間情報を前記使用限度日時と比較して前記使用限度日時を超過したか否かを判断し、前記時間情報が前記使用限度日時を超過していなければ、前記コンピュータにインストールされている前記ＷＷＷブラウザを立ち上げると共に、前記識別データとアドレスとを用いて前記コンピュータを前記他のコンピュータへ通信回線を介してアクセスさせ、前記ＷＷＷブラウザに前記他のコンピュータが提供するウエブページを表示させ、前記他のコンピュータとの認証が必要な場合には、前記キーデータに基づいて認証のための演算を行い、その演算値を前記コンピュータへ送信するものであり、更に、前記ＮＴＰサーバから取得される時間情報が前記使用限度日時と比較して超過している場合は、その旨を前記コンピュータの画面に表示してそれ以降の動作を中止することを特徴とする。
【発明の効果】
【０００５】
本発明は、ＵＳＢアクセスキー内の前記時間取得処理に必要な処理データが起動された場合、該前記時間取得処理に必要な処理データによりウエブ上のＮＴＰサーバをアクセスし、該ＮＴＰサーバから取得される時間情報と比較して前記使用限度日時が超過したか否かを判断するため、正確な時間情報を得ることができ、しかも、不正使用を防止することができる。また前記使用限度日時が超過した場合は、特定ＵＲＬへのアクセスを中止し、その旨を表示して更新手続画面に切り替るので、使用者の期限をウエブページ運用者側サーバで管理する必要が無くなり、システム運用が簡略化できる。
【発明を実施するための最良の形態】
【０００６】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。図１は、本発明のＵＳＢアクセスキーの構成図であり、（ａ）は内部構成を示す図であり、（ｂ）はＥＥＰＲＯＭに記録されるデータのモデルを示す図である。（ａ）に示すＵＳＢアクセスキー９０は、所定数のコンピュータがインターネット等の通信回線に接続される通信システムにおける当該コンピュータのＵＳＢインターフェイスに接続されるもので、演算処理手段であるＣＰＵ（Central Processing Unit）２がバス６に接続され、当該バス６にＵＳＢインターフェイスであるＵＳＢＩ／Ｆ１、処理データ格納手段であるＲＯＭ(Read Only Memory)３、個別データ格納手段であるＥＥＰＲＯＭ（Electrically Erasable Programmable ROM）４、処理のための作業領域としてのＲＡＭ(Random Access Memory)５が少なくとも接続されて構成される。なお、ＣＰＵを内蔵するものとして必要となる電源等の他の構成は省略してある。また、ＥＥＰＲＯＭ４には、（ｂ）に示すように、少なくとも、当該通信回線を介して接続される所定のコンピュータのアドレスであるＵＲＬ（Uniform Resource Locators）７、前記ＵＳＢインターフェイスを有するコンピュータが通信回線と接続するための識別データである顧客ＩＤ（IDentification）８及びパスワード９、当該接続所望のコンピュータからの認証要求に必要なキーデータである秘密鍵１０が格納されると共に、例えば、アクセス数に対するプリペイドデータである書き換え自在なポイントデータ１１が格納される。ＲＯＭ３には、前記顧客ＩＤ８、パスワード９、ＵＲＬ７や演算値等の所定データを送信するための処理を行わせると共に、前記秘密鍵１０に基づいて認証のための演算を行わせるための処理データであるプログラム（例えば、ＯＳ、処理プログラム）が格納される。そして、ＣＰＵ２がＲＯＭ３に格納されているプログラムに基づいて前記送信処理、演算処理を行うもので、前記ＵＲＬ７、顧客ＩＤ８、パスワード９に基づいて前記ＵＳＢインターフェイスを有するコンピュータを通信回線に接続するための当該コンピュータにインストールされているアプリケーションソフトであるｗｗｗ（world wide web）ブラウザを立ち上げ、前記秘密鍵１０に基づいて当該通信回線を介してアクセスされたＵＲＬのコンテンツを有するコンピュータとの認証のための演算を行うものである。このとき、予め操作者がコンピュータ上にブラウザを立ち上げておくようにすれば、ＵＳＢアクセスキー９０からブラウザ立ち上げ制御を省略することもできる。また、アクセスしたコンピュータとの認証が必要ない場合は、認証のためのデータや制御を省略できることは言うまでもない。このようなＵＳＢアクセスキー９０は、ＲＯＭ３に格納されているプログラムに基づいてＥＥＰＲＯＭ４に格納されているＵＲＬ７、顧客ＩＤ８、パスワード９をＵＳＢＩ／Ｆ１を介して送信し、認証要求に対して秘密鍵１０に基づいて演算を行い、演算値を当該ＵＳＢＩ／Ｆ１を介して送信する。また、ＥＥＰＲＯＭ４に記録されているポイント１１の書き換え要求に対して書き換えを行��と共に、暗号メール復号の要求に対して秘密鍵１０を読み出し、当該ＵＳＢＩ／Ｆ１を介して送信するものである。
【０００７】
図２（ａ）は、本発明の第１の実施形態に係るＵＳＢアクセスキーの外観斜視図である。この構成はＵＳＢアクセスキー９１の全体をカバー２３により覆い、その表面にＬＥＤランプ２４を複数配置し、先端にＵＳＢコネクタ２２を突出させた構造である。使用するときには、ＵＳＢコネクタ２２をＰＣ本体２０のＵＳＢソケット２１に差し込んで使用される。次に、本実施形態の動作について図１と併せて参照しながら説明する。ＵＳＢアクセスキーのメモリＥＥＰＲＯＭ４内にはプリペイド情報が記録されている。ネットショッピング等で買い物をした場合、その金額とプリペイド情報（ポイント残高）１１をＰＣのスクリーン上に表示して確認することもできるが、ＵＳＢアクセスキー９１にＬＥＤランプ２４を、そのポイントに対応して設けておく。例えば、１個のＬＥＤを１ポイントとしても良いし、１０ポイントとしても良い。そして、全てが点灯したら残高ゼロとするか、あるいは、その逆に残高を点灯しておき、使用すると滅灯するようにしても良い。このように、ＥＥＰＲＯＭ４内のプリペイド情報１１に応じて点灯あるいは滅灯するようにしておけば、ＰＣ操作に不慣れな人でも容易に残高ポイント１１を確認することができる。本実施形態では表示方法としてＬＥＤランプを使用したが、他の表示方法でも構わない。
【０００８】
図２（ｂ）は、本発明の第２の実施形態に係るＵＳＢアクセスキーの外観斜視図である。この構成はＵＳＢアクセスキー９２の全体をカバー３１により覆い、その表面にスピーカ３２を配置し、先端にＵＳＢコネクタ３０を突出させた構造である。使用するときには、ＵＳＢコネクタ３０を図２（ａ）のＰＣ本体２０のＵＳＢソケット２１に差し込んで使用される。図２（ｂ）が図２（ａ）と異なる点は、ＬＥＤランプ２４の代わりにスピーカ３２を使用した点である。次に、本実施形態の動作について図１と併せて参照しながら説明する。ポイント残高を確認する他の方法として、音による方法がある。これは、視覚障害者用に考えられたもので、ＵＳＢアクセスキー９２のカバー３１にスピーカ３２を設け、内部の音声合成回路からの信号によりポイント残高を、例えば、「残り１０ポイントです」のアナウンスを流して知らせるものである。また、他の方法として、単に警告音の数で残高を知らせても良い。図２（ｃ）は、本発明の第３の実施形態に係るＵＳＢアクセスキーの外観斜視図である。この構成はＵＳＢアクセスキー９３の全体をカバー３４により覆い、その表面に複数のＬＥＤランプ３５とスピーカ３６を配置し、側面にこれらを切替えたりＯＮ／ＯＦＦするスイッチ３７を設け、先端にＵＳＢコネクタ３３を突出させた構造である。使用するときには、ＵＳＢコネクタ３３を図２（ａ）のＰＣ本体２０のＵＳＢソケット２１に差し込んで使用される。図２（ｃ）が図２（ａ）と異なる点は、ＬＥＤランプ２４に更にスピーカ３６を追加した点である。次に、本実施形態の動作について図１と併せて参照しながら説明する。本実施形態の動作は、スイッチ３７がＬＥＤランプを選択すると、図２（ａ）で説明した動作となり、スイッチ３７がスピーカを選択すると、図２（ｂ）で説明した動作となる。また、スイッチ３７をＯＦＦの位置にするとＬＥＤランプ３５とスピーカ３６は動作しなくなる。これにより、必要な機能を選択でき、しかも省電力化を実現することができる。
【０００９】
図３は、本発明の第４の実施形態に係るＵＳＢアクセスキーの使用限度日時をチェックするシステム構成図である。図４は、その動作を説明するためのフローチャートである。プリペイド情報等を記録したＩＣカードや磁気カードは、通常有効期限がある。それは、使用者の条件変更を可能な限り更新する意味と、不正使用を防止するためである。当然本発明のＵＳＢアクセスキー４０もプリペイド情報を記録している場合は、使用限度日時をメモリに記憶しておくことが望ましい。そして、その基準となる時間情報を取得するために、ネットワーク４２を介して正確な時刻情報を提供するＮＴＰ（Network Time Protocol）サーバ４３へアクセスし、これから取得される時間情報と比較して使用限度日時が超過したか否かを判断する。
【００１０】
図３と図４を併せて参照しながら動作を説明する。例えば、使用限度日時を（２００２．１０．２０）と記憶されたＵＳＢアクセスキー４０をＰＣ４１に差し込むと（Ｓ１）、ＵＳＢアクセスキー４０内のソフトウェアＡを起動し（Ｓ２）、ＰＣ４１はＮＴＰ（Network Time Protocol）サーバ４３をアクセスして、そこから時間情報を取得する（Ｓ３）。その取得した時間情報と自分の使用限度日時を比較する（Ｓ４）。例えば、アクセスした日時が２００２．１０．１９であれば、使用期限内であるので（ＮＯのルート）、ＵＳＢアクセスキー４０内のソフトウェアＢを起動し（Ｓ５）、ＰＣ４１はネットワーク４２を介してウエブサーバ４４をアクセスしてブラウザを立ち上げ、通常の動作を開始する（Ｓ６）。ステップＳ４でアクセスした日時が２００２．１０．２１であれば（ＹＥＳのルート）、使用期限を超過しているので、その旨をＰＣ４１に表示して（Ｓ７）、更新手続画面に切替えてそれ以降の動作を中止する（Ｓ８）。これにより、正確な時間情報を得ることができ、しかも、不正使用を防止することができる。
【００１１】
図５は、本発明の第５の実施形態に係る印影を貼り付ける動作を説明する図である。（ａ）はＰＣの外観図とＵＳＢアクセスキーの位置関係を表す図であり、（ｂ）はＰＣの表示部に印影が表示された図であり、（ｃ）は印影が契約書にコピーされた図である。日本では印鑑により個人の特定を認証する場合が多い。そのため、個人所有であるＵＳＢアクセスキー内に印影のイメージデータを記憶しておき、契約書等の印鑑を必要とする書類に印影のイメージデータを貼り付けることができれば、遠方同士の契約にわざわざ現地まで出向く必要がなくなり、時間の無駄が省ける。例えば、図５（ａ）のＰＣ５６の表示部５０に契約書５１を表示させておき、当事者の印影データが記憶されたＵＳＢアクセスキー５３をＰＣ５６のＵＳＢソケット５２に差し込む。すると、図５（ｂ）のように前記で説明した通り、内部のソフトウェアが起動してカーソル５５の近傍に印影５４が現れる。そして、図５（ｃ）のようにカーソル５５を移動すると印影５４も一緒に移動するので、契約書５１の所望の位置まで移動して図示しないマウスをダブルクリックすることにより印影５４が契約書５１にコピーされる。これにより、遠方同士の契約にわざわざ現地まで出向く必要がなくなり、時間の無駄を省くことができる。ここで、重要な書類の印鑑は一般には印鑑登録された実印である。従って、実印として使用する場合は、図６に示すように、予めその印影イメージデータを認証サーバ６３に登録しておく必要がある。そして、ＵＳＢアクセスキー６０内に記憶された印影のイメージデータと認証サーバ６３に登録された印影イメージデータを比較し、一致した場合に限り書類に貼り付けるようにすれば、印影の不正使用を防止することができる。
【００１２】
図７は、本発明の第６の実施形態に係る楽曲配信サービスを説明する構成図の一例である。この構成は、著作権を管理する協会の著作権協会サーバ７０と、インターネットに接続され、各クライアントの認証を管理する認証サーバ７１と、楽曲のデータベースを備え、認証サーバからの要求により楽曲を配信する楽曲サーバ７２と、各クライアントとサーバを結ぶインターネット７７と、このインターネット７７に接続されたクライアントＡ８１，クライアントＢ８２，クライアントＣ８３と、夫々のクライアントに接続するＵＳＢアクセスキーＡ８４，Ｂ８５，Ｃ８６から構成されている。ここで、著作権協会サーバ７０と認証サーバ７１間は回線７３により接続され、認証サーバ７１と楽曲サーバ７２間は回線７４により接続されている。また、認証サーバ７１とインターネット７７間は回線７６により接続されている。また、インターネット７７と各クライアント間はＶＰＮ(Virtual Private Network)７８，７９，８０により接続されている。この構成では著作権協会サーバ７０と認証サーバ７１間は回線７３により接続されているが、インターネット７７を介して接続されても構わない。また、認証サーバ７１と楽曲サーバ７２が回線７４により接続されているが、同じサーバにより運営されても構わない。また、ＵＳＢアクセスキーＡ８４，Ｂ８５，Ｃ８６のメモリ内には有料認証子が格納されており、例えば、ＵＳＢアクセスキーＡ８４のメモリ８７にはａ〜ｆ全てに格納され、Ｂ８５，Ｃ８６のメモリ８８，８９にはａ〜ｃに格納されている。また、９０はメモリ８７の有料認証子が減算されてａ〜ｄに減少した場合を表している。
【００１３】
図８は、図７の楽曲配信サービスの動作を説明するフローチャートである。図７と図８を併せて参照しながら説明する。ここでは、クライアントＡ８１について説明する。まず、ＵＳＢアクセスキーＡ８４をクライアントＡ８１のＵＳＢソケットに差し込む（Ｓ１０）。すると内部のソフトウェアが起動し、ＶＰＮ(Virtual Private Network)７８を通じてインターネット７７を介して認証サーバ７１をアクセスしてブラウザに楽曲サーバ７２のウエブページを表示する（Ｓ１１）。次に、その表示画面から所望の楽曲を選択してマウスをクリックする（Ｓ１２）。すると、その情報はインターネット７７を介して認証サーバ７１に伝えられ、認証サーバ７１は回線７４を通じて楽曲サーバ７２をアクセスする。楽曲サーバ７２はその楽曲を楽曲ＤＢ７５から検索して、認証サーバ７１に楽曲データを送る。そして、インターネット７７を介してクライアントＡ８１に楽曲をダウンロードする（Ｓ１３）。クライアントＡ８１はダウンロードが完了したかを監視し（Ｓ１４）、完了すると、有料認証子が不足していると減算ができないので、有料認証子が不足しているか否かを判定し（Ｓ１５）、不足の場合（ＹＥＳのルート）認証サーバ７１から不足分の有料認証子を購入して（Ｓ１７）、ステップＳ１６に進む。ステップＳ１５で不足していない場合（ＮＯのルート）、ＵＳＢアクセスキーＡ８４内の有料認証子８７を減算し（Ｓ１６）、次の楽曲選定をするか否かを判定する（Ｓ１８）。続けて選択する場合（ＮＯのルート）ステップＳ１２に戻り次の楽曲を選択する。ステップＳ１８で楽曲選択しない場合（ＹＥＳのルート）、減算結果を認証サーバ７１に知らせる（Ｓ１９）。すると、認証サーバ７１は著作権協会サーバ７０に楽曲を販売したことを通知してその分の著作権料を支払う（Ｓ２０）。この結果、減算結果は９０のようになる。
【００１４】
ここで、楽曲は、歌手名、その長さ、曲名、作曲家、作曲日等により価値はさまざまである。従って、楽曲に対して一律に料金を決めることはできないので、楽曲により当然料金は異なる。言い換えると、料金の高い楽曲の場合は有料認証子の減算数が大きくなり、安い楽曲は減算数は少なくなる。こうすることにより、楽曲に最適な料金を設定することができる。また、図８のフローチャートでは表していないが、ダウンロードは通信回線を介して行われるため、通信回線の品質あるいは周辺のノイズ等の外乱によりダウンロードが正常に終了しない場合もある。当然データは受信時にエラーチェックをしながら受信するので、受信されたデータは基本的にエラーの確率は低い。しかし、通信回線が途中で切断したり、受信機あるいはＰＣ等の故障によりダウンロードが正常に終了しない場合もある。このような時は、ダウンロード手段によりダウンロードされた楽曲が正しくダウンロードされたことを確認後、前記有料認証子の減算を実行するようにする。これにより料金の公平性を保つことができる。尚、本発明は上記実施形態に限定されるものではなく、例えば、ＵＳＢアクセスキーに内蔵できるＣＰＵの能力やメモリ容量には限界があるので、その機能の一部をコンピュータのＣＰＵやメモリに分担させてＵＳＢアクセスキーと協働して所定の機能を実現したものも本発明に含まれる。
【００１５】
以上、本発明は上記の実施例のみに限定されるものではなく、構成要素、種類、組み合わせ、形状などは適宜選択して構成することも可能である。
【図面の簡単な説明】
【００１６】
【図１】発明のＵＳＢアクセスキーの構成図で、（ａ）は内部構成を示す図、（ｂ）はＥＥＰＲＯＭに記録されるデータのモデルを示す図。
【図２】（ａ）は本発明の第１の実施形態に係るＵＳＢアクセスキーの外観斜視図、（ｂ）は本発明の第２の実施形態に係るＵＳＢアクセスキーの外観斜視図、（ｃ）は本発明の第３の実施形態に係るＵＳＢアクセスキーの外観斜視図。
【図３】本発明の第４の実施形態に係るＵＳＢアクセスキーの使用限度日時をチェックするシステム構成図。
【図４】本発明の本発明の第４の実施形態に係るＵＳＢアクセスキーの使用限度日時をチェックする動作を説明するためのフローチャート。
【図５】本発明の第５の実施形態に係る印影を貼り付ける動作を説明する図で、（ａ）はＰＣの外観図とＵＳＢアクセスキーの位置関係を表す図、（ｂ）はＰＣの表示部に印影が表示された図、（ｃ）は印影が契約書にコピーされた図。
【図６】本発明の印影イメージデータを認証サーバに格納しておく動作を説明する図。
【図７】本発明の第６の実施形態に係る楽曲配信サービスを説明する構成図。
【図８】本発明の楽曲配信サービスの動作を説明するフローチャート。
【図９】（ａ）は従来のＩＣカードの内部構成を表す図、（ｂ）はＩＣカードを使用したシステム構成図。
【符号の説明】
【００１７】
１  ＵＳＢインターフェイス、２  ＣＰＵ、３  ＲＯＭ、４  ＥＥＰＲＯＭ、５  ＲＡＭ
【図１】
2008016044.tif 000003
【図２】
2008016044.tif 000004
【図３】
2008016044.tif 000005
【図４】
2008016044.tif 000006
【図５】
2008016044.tif 000007
【図６】
2008016044.tif 000008
【図７】
2008016044.tif 000009
【図８】
2008016044.tif 000010
【図９】
2008016044.tif 000011